(57)【要約】【課題】ユーザが命令を与える際の操作性を向上させることが可能な移動無線端末装置を提供する。【解決手段】ユーザがキー入力部１３２を操作してフォーカスを「宛先」、「題名」、「本文」、「添付ファイル」のいずれかの入力欄に合わせた状態で、サブメニューの表示要求を行うと、メニューデータ記憶エリア１４０ａ、データファイル記憶エリア１４０ｂ、およびクリップボード記憶エリア１４０ｃに記憶される情報に基づいて、制御部２００が、フォーカスが合わせられた入力欄に関わる命令のみをサブメニューとして表示部１３１に表示するようにしたものである。【選択図】　　図１
2004110243.tif 000002
【特許請求の範囲】
【請求項１】
移動通信網を通じた無線通信を行うもので、制御対象に対する複数の命令を表示手段に一覧表示することが可能な移動無線端末装置において、
ユーザからの要求を受け付ける入力手段と、
複数の制御対象の識別情報を、前記表示手段の一画面上に表示する第１表示制御手段と、
前記入力手段を通じてユーザから制御対象の指定を受け付ける第１受付手段と、
この第１受付手段にて受け付けた制御対象に対して、実施可能な命令を検出する検出手段と、
前記入力手段を通じたユーザからの要求に応じて、前記検出手段にて検出した命令の識別情報を、前記表示手段の一画面上に表示する第２表示制御手段と、
この第２表示制御手段によって表示される命令のうち、いずれかの命令を前記入力手段を通じたユーザからの要求に応じて受け付ける第２受付手段とを具備することを特徴とする移動無線端末装置。
【請求項２】
前記入力手段を通じてユーザが指定した情報を、一時的に保存する記憶手段を備え、
前記検出手段は、前記記憶手段が情報を保存しているか否かに応じて、前記記憶手段を用いる命令が実行可能であるか否かを判定して、実施可能な命令を検出することを特徴とする請求項１に記載の移動無線端末装置。
【請求項３】
前記検出手段は、前記第１受付手段にて指定された制御対象のデータサイズに応じて、命令が実行可能であるか否かを判定して、実施可能な命令を検出することを特徴とする請求項１に記載の移動無線端末装置。
【請求項４】
受信した信号に基づいて、通信が可能であるか否かを判定する通信判定手段を備え、
前記検出手段は、前記通信判定手段の判定結果に応じて、実施可能な命令を検出することを特徴とする請求項１に記載の移動無線端末装置。
【請求項５】
前記第２表示制御手段は、命令の識別情報を、予め文字、数字または記号と対応づけて表示し、
前記第２受付手段は、前記入力手段を通じてユーザから数字の指定を受け付けることで、第２表示制御手段によって表示される命令のうちから、いずれかの命令の指定を受け付けることを特徴とする請求項１乃至請求項４のいずれかに記載の移動無線端末装置。
【発明の詳細な説明】
【０００１】
【発明の属する技術分野】
この発明は、例えばＰＨＳ（Ｐｅｒｓｏｎａｌ　Ｈａｎｄｙｐｈｏｎｅ　Ｓｙｓｔｅｍ）や携帯電話システムをはじめとする移動通信システムで用いられる移動無線端末装置に関する。
【０００２】
【従来の技術】
近時、ＰＨＳや携帯電話システムをはじめとする移動通信システムで用いられる移動無線端末装置は、音楽再生機能や、インターネットを介した通信機能として電子メールの送受信機能やｗｅｂブラウザ機能、ディジタルカメラによる撮像機能、ＭＰＥＧ（Ｍｏｖｉｎｇ　Ｐｉｃｔｕｒｅ　Ｅｘｐｅｒｔｓ　Ｇｒｏｕｐ）技術を用いた動画再生機能などを備えるようになった。
【０００３】
このため、上述したような多機能化に伴い、各機能を利用する際にユーザが与える命令が多様化するとともに複雑化している。
これに対して従来は、メニュー表示により命令を一括表示し、また命令によっては階層化したサブメニューに細分化して表示し、複雑化・多様化する命令を受け付けるようにしている。
【０００４】
しかしながら、従来の移動無線端末装置で行われていたメニュー（サブメニュー）表示を通じた命令の受付処理では、実行できない命令についても一括して表示するようにしている。
このため、ユーザが実行できない命令を指定した場合、エラー表示を行って再入力を要求するようにしているため、ユーザにとって、著しく操作性が低いという問題があった。
【０００５】
【発明が解決しようとする課題】
従来の移動無線端末装置では、ユーザが命令を与える際に、著しく操作性が低いという問題があった。
この発明は上記の問題を解決すべくなされたもので、ユーザが命令を与える際の操作性を向上させることが可能な移動無線端末装置を提供することを目的とする。
【０００６】
【課題を解決するための手段】
上記の目的を達成するために、この発明は、移動通信網を通じた無線通信を行うもので、制御対象に対する複数の命令を表示手段に一覧表示することが可能な移動無線端末装置において、ユーザからの要求を受け付ける入力手段と、複数の制御対象の識別情報を、表示手段の一画面上に表示する第１表示制御手段と、入力手段を通じてユーザから制御対象の指定を受け付ける第１受付手段と、この第１受付手段にて受け付けた制御対象に対して、実施可能な命令を検出する検出手段と、入力手段を通じたユーザからの要求に応じて、検出手段にて検出した命令の識別情報を、表示手段の一画面上に表示する第２表示制御手段と、この第２表示制御手段によって表示される命令のうち、いずれかの命令を入力手段を通じたユーザからの要求に応じて受け付ける第２受付手段とを具備して構成するようにした。
【０００７】
上記構成の移動無線端末装置では、制御対象に関する命令のうち、実施可能な命令を検出して、この検出した命令だけを表示手段に表示して、命令を受け付けるようにしている。
【０００８】
したがって、上記構成の移動無線端末装置によれば、制御対象に関する命令のうち、受付可能な命令だけが表示手段に表示されるので、表示手段の表示領域は有効活用されることになり、ユーザが命令を与える際の操作性を向上させることができる。
【０００９】
【発明の実施の形態】
以下、図面を参照して、この発明の一実施形態について説明する。
図１は、その構成を示すもので、この図に示す移動無線端末装置は、基地局ＢＳとの間で、ＣＤＭＡ（Ｃｏｄｅ　Ｄｉｖｉｓｉｏｎ　Ｍｕｌｔｉｐｌｅ　Ａｃｃｅｓｓ）方式によって無線通信を行うものを例に挙げている。
【００１０】
基地局ＢＳから送信され、アンテナ１０１で受信された無線周波信号は、アンテナ共用器１０２に入力される。アンテナ共用器１０２は、受信用フィルタ１０２ａと送信用フィルタ１０２ｂとからなる。
【００１１】
アンテナ１０１より入力された無線周波信号のうち、基地局ＢＳから送信された無線周波信号は、受信用フィルタ１０２ａを通過して、受信部（ＲＸ）１０３に出力される。なお、この無線周波信号は送信用フィルタ１０２ｂにより、後述の送信部１０５に入力されることはない。
【００１２】
受信部１０３では、上記無線周波信号を周波数シンセサイザ（ＳＹＮ）１０４から入力された受信局部発振信号とミキシングして中間周波信号に周波数変換する。
【００１３】
なお、上記周波数シンセサイザ１０４にて発生される受信局部発振信号の周波数は、制御部２００からの制御信号によって制御される。また、受信部１０３は、制御部２００から指定される周波数の無線信号の受信電界強度を検出する機能を備える。
【００１４】
受信部１０３にて得られた中間周波信号は、ＣＤＭＡ信号処理部１０６において、直交復調処理が施されたのち、逆拡散処理が施されて、データレートに応じた所定のフォーマットの受信データに変換され、この受信データのうち、データレートを示すデータと、音声通話のための音声データ以外のデータ（電子メールのデータや、動画像データ）については制御部２００に出力され、上記音声データについては音声符号処理部１０７に出力される。
【００１５】
またＣＤＭＡ信号処理部１０６は、上記受信データから、当該移動無線端末装置宛ての着信の発生、および着信時に基地局ＢＳから通知される発信元の電話番号を検出し、これらの検出結果を制御部２００に通知する。
【００１６】
音声符号処理部１０７は、上記ＣＤＭＡ信号処理部１０６にて得られた音声データに対して、制御部２００から通知される受信データレートに応じた伸長処理を施し、この処理結果をＰＣＭ符号処理部１０８に出力する。
【００１７】
ＰＣＭ符号処理部１０８は、音声符号処理部１０７にて伸張された音声データを復号してアナログ受話信号を得る。このアナログ受話信号は、増幅器１０９にて増幅された後スピーカ１１０より拡声出力される。
【００１８】
一方、話者の入力音声は、マイクロホン（Ｍ）１１１を通じてアナログ送話信号として入力され、増幅器１１２で適正レベルまで増幅された後、ＰＣＭ符号処理部１０８にてＰＣＭ符号化処理が施され、音声データとして音声符号処理部１０７に出力される。
【００１９】
音声符号処理部１０７は、ＰＣＭ符号処理部１０８から出力される音声データより入力音声のエネルギー量を検出し、この検出結果に基づいてデータレートを決定し、制御部２００に通知する。そして、上記音声データを上記データレートに応じたフォーマットのバースト信号に圧縮し、ＣＤＭＡ信号処理部１０６に出力する。
【００２０】
ＣＤＭＡ信号処理部１０６は、上記音声符号処理部１０７にて圧縮されたバースト信号、あるいは制御部２００より入力される送信電子メールや動画像のデータに対して、送信チャネルに応じたＰＮ符号を用いて拡散処理を施す。そしてこの処理結果に対して、直交変調処理を施し、直交変調信号として送信部（ＴＸ）１０５に出力する。
【００２１】
なお、制御部２００から、例えば着信に対して応答するなどの指示があった場合には、ＣＤＭＡ信号処理部１０６は、対応する制御データを上記拡散処理結果に付加して直交変調処理を実施する。
【００２２】
送信部１０５は、上記直交変調信号を送信局部発振信号と合成して無線周波信号に変換し、制御部２００により通知される送信データレートに基づいて、上記無線周波信号の有効部分だけを高周波増幅して、アンテナ共用器１０２に出力する。なお上記送信局部発振信号は、周波数シンセサイザ１０４にて生成されるもので、制御部２００からの制御信号に応じた周波数の発振信号である。
【００２３】
アンテナ共用器１０２に入力された送信部１０５からの無線周波信号は、送信用フィルタ１０２ｂにより、送信帯域の無線周波信号のみがアンテナ１０１に出力されて、上記基地局ＢＳに向けて空間に放射される。尚、この送信帯域の無線周波信号は、受信用フィルタ１０２ａにより、受信部１０３に入力されることはない。
【００２４】
着信報知部１２０は、当該端末装置宛てに着信があった場合に、制御部２００の制御によりユーザに対して着信を報知するもので、可聴音を発して報知を行なう発音体１２１と、発光により報知を行なう発光体１２２と、例えば偏心モータなどにより振動を発生して報知を行なう振動体１２３とからなる。
【００２５】
ユーザインターフェイス部１３０は、表示部１３１およびキー入力部１３２とからなる。表示部１３１は、例えばＬＣＤ（Ｌｉｑｕｉｄ　Ｃｒｙｓｔａｌ　Ｄｉｓｐｌａｙ）やＥＬ（Ｅｌｅｃｔｒｏ　Ｌｕｍｉｎｅｓｃｅｎｃｅ）などからなりユーザに対して自機の状態（発信／着信、バッテリ残量、受信強度）や記憶部１４０から読み出したダイヤルデータ、および動画像を含む種々の画像を視覚的に示すためのものである。
【００２６】
キー入力部１３２は、ダイヤル番号入力を行なうためのテンキーなど発着信に関わる通常の通話機能を実施するためのキーの他、アラーム報知、着信報知方法（可聴音／発光／バイブレータ／報知なし）の切り換えなどの各種設定や種々の機能を利用するためのキーを備えたものである。
【００２７】
記憶部１４０は、例えばＲＯＭやＲＡＭなどの半導体メモリを記憶媒体としたもので、この記憶媒体には、種々の制御データや、例えば名前と電話番号、電子メールアドレスなどを対応づけた電話帳データ、複数のアプリケーションソフトウェアなどを記憶する領域のほか、メニューデータ記憶エリア１４０ａと、データファイル記憶エリア１４０ｂ、クリップボード記憶エリア１４０ｃとを備える。
【００２８】
メニューデータ記憶エリア１４０ａは、ユーザから種々の命令を受け付ける際に表示するメニューに関わるデータを記憶するエリアで、メニューおよびサブメニューの表示データや、図２に示すようなサブメニューデータテーブルを記憶する領域である。
このサブメニューデータテーブルは、サブメニューの命令の対象と、サブメニューの命令とを対応づけたテーブルである。
【００２９】
データファイル記憶エリア１４０ｂは、動画像データ、静止画像データ、電子メールデータ、着信メロディファイル、楽曲データファイル、音声メモファイルなど、種々の形式のデータファイルを記憶する領域である。
なお、電子メールは、１通あたりのデータサイズ（本文のデータサイズと添付ファイルのデータサイズの合計）が予め定められている。
【００３０】
クリップボード記憶エリア１４０ｃは、後述するサブメニューの命令「コピー」によりコピーしたデータを、一時的に保持する領域である。
画像処理部１５０は、ＭＰＥＧ（Ｍｏｖｉｎｇ　Ｐｉｃｔｕｒｅ　Ｅｘｐｅｒｔｓ　Ｇｒｏｕｐ）−４／Ｈ．３２４（Ａｎｎｅｘ　Ｃ）を実現する画像処理用のＬＳＩを搭載したもので、ＭＰＥＧ−４ビデオ符号化処理、音声／オーディオ符号化処理、Ｈ．２２３多重分離処理などを行う。
【００３１】
そして、例えば制御部２００からの指示に応じて、記憶部１４０に記憶される動画データを再生出力するために、このデータを読み出して、これに所定の画像処理を施して画像データと音声データを得て、画像データをドライバ１６０に出力するとともに、音声データをＰＣＭ符号処理部１０８に出力する。
【００３２】
また、テレビ電話通信を行う場合には、通信相手から受信した動画像データが制御部２００から入力され、これに所定の画像処理を施して、ドライバ１６０に出力するとともに、カメラ１７０にて撮像した画像に所定の符号化処理を施して、制御部２００に出力する。
【００３３】
ドライバ１６０は、画像処理部１５０より入力される画像データに基づいて、表示部１３１を駆動制御して、静止画像および動画像の表示制御を行う。
【００３４】
カメラ１７０は、ＣＣＤ（Ｃｈａｒｇｅ−Ｃｏｕｐｌｅｄ　Ｄｅｖｉｃｅ）やＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）を撮像素子として採用する電子カメラで、撮像信号は画像処理部１５０に出力される。
【００３５】
なお、画像処理部１５０からＰＣＭ符号処理部１０８に出力された音声データは、ＰＣＭ符号処理部１０８にてアナログ音声信号に変換された後、増幅器１１３で増幅され、スピーカ１１４より拡声出力される。
また、増幅器１１３の増幅のレベルは、制御部２００によって制御される。
【００３６】
制御部２００は、ＣＰＵ、ＲＯＭおよびＲＡＭなどを有してなるものであり、上記ＣＰＵが上記ＲＯＭに記憶される制御プログラムや制御データに従って、当該移動無線端末装置の各部を統括して制御するものである。
【００３７】
その主たる制御としては、受信部１０３、周波数シンセサイザ１０４、送信部１０５およびＣＤＭＡ信号処理部１０６を制御して、基地局ＢＳとの間にＣＤＭＡ方式の無線通信による通信リンクを開設し、基地局ＢＳが収容される移動通信網を通じて音声通信やテレビ電話通信、電子メールの送受信や、通信相手側でストリーミング再生が可能な動画像データ送信などのデータ通信を行なう通信制御機能を備える。
テレビ電話通信をはじめ、動画像を用いた通信を実施する場合には、上述した画像処理部１５０と連携して、動画像の送受信や再生出力を行う。
【００３８】
また、制御部２００は、キー入力部１３２を通じたユーザからの要求に応じて、上記の各部を制御し、電子メールの作成・送受信を行うメールプログラムや、動画像データの再生出力を行う動画再生プログラム、着信メロディのデータ作成や設定を行うメロディ編集プログラム、音楽データファイルに基づいて楽曲再生を行う楽曲再生プログラム、会話などの録音・再生を行うボイスレコーダプログラムなど、アプリケーションソフトウェアを上述の記憶部１４０から読み込んで選択的に実行することができる。
【００３９】
そして、制御部２００は、上述した機能を発揮するに当たり、表示部１３１にメニューやサブメニューを表示し、これらのメニューを通じてユーザから種々の命令を受け付ける。
そしてまた、制御部２００は、サブメニューを表示する際に、命令の対象に対して、実行可能な命令のみを表示する機能を新たに備える。
【００４０】
１８１は電源回路であり、バッテリ１８０の出力を基に所定の動作電源電圧Ｖｃｃを生成して各回路に供給する。
【００４１】
次に、上記構成の移動無線端末装置の動作について説明する。
なお、以下の説明では、サブメニューに関わる動作について説明し、通常の音声通信・テレビ電話やデータ通信に関わる制御や、各アプリケーションソフトウェアに基づく動作についての説明は省略する。
また、以下では特に、電子メールを作成する際のサブメニューに関わる動作を例に挙げて説明する。
【００４２】
電子メールの作成処理が開始されると、図３に示すように、「宛先」、「題名」、「本文」、「添付ファイル」の４つの入力欄を有する表示が表示部１３１になされ、これらの入力欄に対してユーザが入力や設定の作業を行う。なお、上記４つの入力欄のうち、「宛先」の入力は必須となっている。
【００４３】
サブメニューの表示要求は、ユーザがキー入力部１３２を操作して、上記４つの項目の入力欄のうち、命令の対象となる項目の入力欄にフォーカスｆ（図３中の太枠）を合わせ、この状態でサブメニューに対応するキーを操作することによりなされる。
【００４４】
このようにして、サブメニューの表示要求がなされると、制御部２００は、図４に示すような処理を実施する。この処理は、サブメニューを通じた命令の受け付けや、その命令を実施する処理である。
【００４５】
まず、ステップ４ａでは、表示部１３１に表示されるフォーカスｆの位置が、「宛先」、「題名」、「本文」、「添付ファイル」のうち、いずれにあるかを検出し、ステップ４ｂに移行する。
【００４６】
ステップ４ｂでは、メニューデータ記憶エリア１４０ａに記憶されるサブメニューデータテーブルを参照し、ステップ４ａで検出したフォーカスｆの位置に対応するサブメニューの命令項目を検出し、ステップ４ｃに移行する。
【００４７】
ステップ４ｃでは、表示部１３１に、ステップ４ｂで検出したサブメニューの命令項目を表示する表示処理を実施し、ステップ４ｄに移行する。
なお、通常の表示処理によれば、フォーカスｆの位置が「宛先」にある場合には、図５に示すように、宛先入力に関わる命令のみを表示する。
【００４８】
同様に、フォーカスｆの位置が「題名」にある場合には、図６に示すように、題名入力に関わる命令のみを表示し、フォーカスｆの位置が「本文」にある場合には、図７に示すように、本文入力に関わる命令のみを表示し、フォーカスｆの位置が「添付ファイル」にある場合には、図８に示すように、添付ファイルの設定に関わる命令のみを表示する。
【００４９】
また、図９を参照して後述するように、ステップ４ｃのサブメニューの表示処理では、「コピー」、「貼付け」、「削除」、「コピービュー」の各命令の項目については、表示しないように制御される場合がある。
【００５０】
ステップ４ｄでは、ユーザによるキー入力部１３２の操作に応じて、フォーカスｆの表示位置を移動させ、表示部１３１に表示中のサブメニューの命令項目から、所望の命令の指示を受け付ける。
ここで、命令の指示が与えられた場合には、ステップ４ｆに移行し、一方、命令の指示が与えられなかった場合には、ステップ４ｅに移行する。
【００５１】
なお、サブメニューの命令項目からの命令指示は、各命令に割り振られた番号に対応する数字を、キー入力部１３２を通じてテンキーで入力することにより指示することもできる。
上記対応する番号は、図２に示すように、同じ命令については同じ番号が割り振られている。
【００５２】
ステップ４ｅでは、他の入力欄を設定する要求が生じたり、あるいは電子メールの作成を終了する要求が生じるなど、サブメニュー表示を終了する要求が生じたか否かを判定する。
【００５３】
ここで、サブメニュー表示を終了する要求が生じた場合には、当該処理を終了し、一方、サブメニュー表示を終了する要求が生じなかった場合には、ステップ４ｄに移行する。
【００５４】
ステップ４ｆでは、ステップ４ｄで指示された命令を実施し、当該処理を終了する。
【００５５】
次に、上記ステップ４ｃにて実施されるサブメニュー表示処理について説明する。この処理は、図９に示すフローチャートにしたがい、制御部２００によってなされる。
【００５６】
まず、ステップ９ａでは、フォーカスｆが位置する入力欄に、すでに入力された文字や添付されたデータが存在するか否かを判定する。
ここで、フォーカスｆが位置する入力欄に、すでに入力された文字や添付されたデータが存在する場合には、ステップ９ｂに移行し、一方、入力された文字や添付されたデータが存在しない場合には、ステップ９ｃに移行する。
【００５７】
ステップ９ｂでは、クリップボード記憶エリア１４０ｃに保持しているデータが存在するか否かを判定する。
ここで、クリップボード記憶エリア１４０ｃに保持しているデータが存在する場合には、ステップ９ｄに移行し、一方、クリップボード記憶エリア１４０ｃに保持しているデータが存在しない場合には、ステップ９ｅに移行する。
【００５８】
一方、ステップ９ｃでは、クリップボード記憶エリア１４０ｃに保持しているデータが存在するか否かを判定する。
ここで、クリップボード記憶エリア１４０ｃに保持しているデータが存在する場合には、ステップ９ｆに移行し、一方、クリップボード記憶エリア１４０ｃに保持しているデータが存在しない場合には、ステップ９ｇに移行する。
【００５９】
ステップ９ｄでは、ステップ４ｂで検出したサブメニューの命令項目を表示する表示処理を実施する。ここでは、「コピー」、「貼付け」、「削除」、「コピービュー」の各命令の項目、すべてについて表示するように制御する。
【００６０】
ステップ９ｅでは、ステップ４ｂで検出したサブメニューの命令項目を表示する表示処理を実施する。ただし、「コピー」、「削除」の両命令の項目については表示するように制御するが、「貼付け」、「コピービュー」の両命令の項目については表示しないように制御する。
【００６１】
ステップ９ｆでは、ステップ４ｂで検出したサブメニューの命令項目を表示する表示処理を実施する。ただし、「貼付け」、「コピービュー」の両命令の項目については表示するように制御するが、「コピー」、「削除」の両命令の項目については表示しないように制御する。
【００６２】
ステップ９ｇでは、ステップ４ｂで検出したサブメニューの命令項目を表示する表示処理を実施する。ただし、「コピー」、「貼付け」、「削除」、「コピービュー」の各命令の項目、すべてについて表示しないように制御する。
【００６３】
以上にような制御によれば、例えば図１０に示すように、ユーザがキー入力部１３２を操作してフォーカスｆを宛先の入力欄に合わせ、サブメニューの表示要求を行うと、図２に示したサブメニューデータテーブルに基づき、図１１に示すように、宛先入力に関わる命令の項目だけがサブメニューとして表示される。
【００６４】
図１０の例では、宛先のデータが既に入力された状態にないため、「コピー」、「削除」の両命令の項目については表示されない。
さらに、クリップボード記憶エリア１４０ｃに保持しているデータが存在しない場合には、図１２に示すように、「貼付け」、「コピービュー」の両命令の項目についても表示されない。
【００６５】
一方、例えば図１３に示すように、ユーザがキー入力部１３２を操作してフォーカスｆを本文の入力欄に合わせ、サブメニューの表示要求を行うと、図２に示したサブメニューデータテーブルに基づき、図１４に示すように、本文入力に関わる命令の項目だけがサブメニューとして表示される。
【００６６】
図１３の例では、本文のデータが既に入力された状態にあるため、「コピー」、「削除」の両命令の項目についても表示される。
なお、図１４の例では、「貼付け」、「コピービュー」の両命令の項目についても表示されており、これはクリップボード記憶エリア１４０ｃに保持しているデータが存在することを意味している。
【００６７】
次に、ステップ４ｆにて実施される処理の一例として、添付ファイルの選択処理を例に挙げて説明する。
図１５は、この処理を説明するためのフローチャートで、ステップ４ｆにて添付ファイルの命令の項目が選択されると、制御部２００により実施される。
【００６８】
まず、ステップ１５ａでは、現在作成中の電子メールのデータサイズを、本文のデータサイズと、添付されたデータのサイズとに基づいて求め、この求めたデータサイズと、電子メール１通あたりに許されるデータサイズとを比較して、空き容量を求め、ステップ１５ｂに移行する。
【００６９】
ステップ１５ｂでは、データファイル記憶エリア１４０ｂに記憶されるデータファイルの識別情報（例えばファイルの名称）を表示部１３１に一覧表示し、ステップ１５ｃに移行する。
【００７０】
ステップ１５ｃでは、ユーザからキー入力部１３２を通じて、サブメニューの表示要求が生じたか否かを判定する。
ここで、サブメニューの表示要求が生じた場合には、ステップ１５ｅに移行し、一方、サブメニューの表示要求が生じない場合には、ステップ１５ｄに移行する。
【００７１】
ステップ１５ｄでは、他の入力欄を設定する要求が生じたり、あるいは電子メールの作成を終了する要求が生じるなど、添付ファイルの一覧表示を終了する要求が生じたか否かを判定する。
【００７２】
ここで、添付ファイルの一覧表示を終了する要求が生じた場合には、当該処理を終了し、一方、添付ファイルの一覧表示を終了する要求が生じなかった場合には、ステップ１５ｃに移行する。
【００７３】
ステップ１５ｅでは、ステップ１５ｃでサブメニューの表示要求を受け付けた際に、フォーカスｆが合わされていたデータファイルのデータサイズと、ステップ１５ａで検出した空き容量を比較する。
【００７４】
ここで、フォーカスｆが合わされていたデータファイルのデータサイズが、ステップ１５ａで検出した空き容量以下の場合には、添付の命令を受け付けるための「貼付け」の命令項目を表示し、一方、ステップ１５ａで検出した空き容量よりも大きい場合には、上記「貼付け」の命令項目を表示しない。そして、ステップ１５ｆに移行する。
【００７５】
ステップ１５ｆでは、ステップ１５ｅで表示したサブメニューを通じて、ユーザからキー入力部１３２を通じて命令の指定を受け付け、受け付けた命令を実施して当該処理を終了する。
【００７６】
以上にような制御によれば、例えば図１６に示すように、データファイルのファイル名が表示された状態で、サブメニューの表示要求を行った場合に、フォーカスｆの合ったデータ「オリジナルメロディー」のデータサイズが、ステップ１１５ａで検出した空き容量以内であると、図１７に示すように、添付の命令を意味する「貼付け」の項目が表示される。
【００７７】
一方、フォーカスｆの合ったデータ「オリジナルメロディー」のデータサイズが、ステップ１１５ａで検出した空き容量より大きいと、図１８に示すように、上記「貼付け」の項目は表示されない。
【００７８】
以上のように、上記構成の移動無線端末装置では、ユーザがキー入力部１３２を操作してフォーカスｆを「宛先」、「題名」、「本文」、「添付ファイル」のいずれかの入力欄に合わせ、サブメニューの表示要求を行うと、フォーカスｆが合わせられた入力欄に関わる命令のみをサブメニューとして表示するようにしている。
【００７９】
したがって、上記構成の移動無線端末装置によれば、命令を入力する際に、必要かつ可能な命令のみが一覧表示されるので、ユーザにとって操作性がよく利便性が非常に高い。
【００８０】
また、上記構成の移動無線端末装置では、図２に示すように、同じ命令については同じ番号が割り振られているため、ユーザは、命令の対象が異なる場合でも、同じ番号で命令を与えることができるので利便性が高い。
【００８１】
さらに、上記構成の移動無線端末装置では、図５乃至図８に示すように、受け付けられない命令の項目については、表示を行わないようにしているので、表示部１３１の限られた表示領域を有効に活用することができ、従来のように受け付けられない命令まで表示され、受付可能な命令が画面外に出てしまっているのを、スクロールさせるなどして表示領域に移動させるなどの操作が不要となる。
【００８２】
尚、この発明は上記実施の形態に限定されるものではない。
上記実施の形態では、電子メール作成時の処理を例に挙げて説明したが、電話帳データの作成時や、電話帳データの呼出時の処理に適用することも可能である。
図１９に示すように、電話帳データの一覧を表示した状態で、サブメニューの表示要求を行った際に、通話可能な圏内にいる場合には、図２０に示すように、発呼の命令を受け付ける「音声電話発信」の命令項目を表示する。
【００８３】
一方、圏外にいる場合には、図２１に示すように、上記「音声電話発信」の命令項目を表示しない。
なお、圏内／圏外の判定は、ＣＤＭＡ信号処理部１０６の受信結果に基づいて、制御部２００が判定する。
【００８４】
その他、この発明の要旨を逸脱しない範囲で種々の変形を施しても同様に実施可能であることはいうまでもない。
【００８５】
【発明の効果】
以上述べたように、この発明では、制御対象に関する命令のうち、実施可能な命令を検出して、この検出した命令だけを表示手段に表示して、命令を受け付けるようにしている。
【００８６】
したがって、この発明によれば、制御対象に関する命令のうち、受付可能な命令だけが表示手段に表示されるので、表示手段の表示領域は有効活用されることになり、ユーザが命令を与える際の操作性を向上させることが可能な移動無線端末装置を提供できる。
【図面の簡単な説明】
【図１】この発明に係わる移動無線端末装置の一実施の形態の構成を示す回路ブロック図。
【図２】図１に示した移動無線端末装置のメニューデータ記憶エリアに記憶されるサブメニューデータを示す図。
【図３】図１に示した移動無線端末装置の電子メール作成時に表示される入力欄の表示例を示す図。
【図４】図１に示した移動無線端末装置の電子メール作成時にサブメニューを通じた命令を受け付ける処理を説明するためのフローチャート。
【図５】図１に示した移動無線端末装置の電子メール作成時に、宛先入力欄を選択中にサブメニューを呼び出した際の表示例を示す図。
【図６】図１に示した移動無線端末装置の電子メール作成時に、題名入力欄を選択中にサブメニューを呼び出した際の表示例を示す図。
【図７】図１に示した移動無線端末装置の電子メール作成時に、本文入力欄を選択中にサブメニューを呼び出した際の表示例を示す図。
【図８】図１に示した移動無線端末装置の電子メール作成時に、添付ファイルの設定欄を選択中にサブメニューを呼び出した際の表示例を示す図。
【図９】図４に示したサブメニューの表示処理を説明するためのフローチャート。
【図１０】図４および図９に示した処理によってなされる、表示部の表示の遷移を説明するための図。
【図１２】図４および図９に示した処理によってなされる、表示部の表示の遷移を説明するための図。
【図１３】図４および図９に示した処理によってなされる、表示部の表示の遷移を説明するための図。
【図１４】図４および図９に示した処理によってなされる、表示部の表示の遷移を説明するための図。
【図１５】図４に示したサブメニューの命令処理の一例を説明するためのフローチャート。
【図１６】図１５に示した処理によってなされる、表示部の表示の遷移を説明するための図。
【図１７】図１５に示した処理によってなされる、表示部の表示の遷移を説明するための図。
【図１８】図１５に示した処理によってなされる、表示部の表示の遷移を説明するための図。
【図１９】図１に示した移動無線端末装置の変形例によってなされる、表示部の表示の遷移を説明するための図。
【図２０】図１に示した移動無線端末装置の変形例によってなされる、表示部の表示の遷移を説明するための図。
【図２１】図１に示した移動無線端末装置の変形例によってなされる、表示部の表示の遷移を説明するための図。
【符号の説明】
１０１…アンテナ
１０２…アンテナ共用器
１０２ａ…受信用フィルタ
１０２ｂ…送信用フィルタ
１０３…受信部（ＲＸ）
１０４…周波数シンセサイザ（ＳＹＮ）
１０５…送信部（ＴＸ）
１０６…ＣＤＭＡ信号処理部
１０７…音声符号処理部
１０８…ＰＣＭ符号処理部
１０９，１１２，１１３…増幅器
１１０，１１４…スピーカ
１１１…マイクロホン（Ｍ）
１２０…着信報知部
１２１…発音体
１２２…発光体
１２３…振動体
１３０…ユーザインターフェイス部
１３１…表示部
１３２…キー入力部
１４０…記憶部
１４０ａ…メニューデータ記憶エリア
１４０ｂ…データファイル記憶エリア
１４０ｃ…クリップボード記憶エリア
１５０…画像処理部
１６０…ドライバ
１７０…カメラ
２００…制御部
【図１】
2004110243.tif 000003
【図２】
2004110243.tif 000004
【図３】
2004110243.tif 000005
【図４】
2004110243.tif 000006
【図５】
2004110243.tif 000007
【図６】
2004110243.tif 000008
【図７】
2004110243.tif 000009
【図８】
2004110243.tif 000010
【図９】
2004110243.tif 000011
【図１０】
2004110243.tif 000012
【図１１】
2004110243.tif 000013
【図１２】
2004110243.tif 000014
【図１３】
2004110243.tif 000015
【図１４】
2004110243.tif 000016
【図１５】
2004110243.tif 000017
【図１６】
2004110243.tif 000018
【図１７】
2004110243.tif 000019
【図１８】
2004110243.tif 000020
【図１９】
2004110243.tif 000021
【図２０】
2004110243.tif 000022
【図２１】
2004110243.tif 000023
【手続補正書】
【提出日】平成14年10月4日(2002.10.4)
【手続補正１】
【補正対象書類名】明細書
【補正対象項目名】図面の簡単な説明
【補正方法】変更
【補正の内容】
【図面の簡単な説明】
【図１】この発明に係わる移動無線端末装置の一実施の形態の構成を示す回路ブロック図。
【図２】図１に示した移動無線端末装置のメニューデータ記憶エリアに記憶されるサブメニューデータを示す図。
【図３】図１に示した移動無線端末装置の電子メール作成時に表示される入力欄の表示例を示す図。
【図４】図１に示した移動無線端末装置の電子メール作成時にサブメニューを通じた命令を受け付ける処理を説明するためのフローチャート。
【図５】図１に示した移動無線端末装置の電子メール作成時に、宛先入力欄を選択中にサブメニューを呼び出した際の表示例を示す図。
【図６】図１に示した移動無線端末装置の電子メール作成時に、題名入力欄を選択中にサブメニューを呼び出した際の表示例を示す図。
【図７】図１に示した移動無線端末装置の電子メール作成時に、本文入力欄を選択中にサブメニューを呼び出した際の表示例を示す図。
【図８】図１に示した移動無線端末装置の電子メール作成時に、添付ファイルの設定欄を選択中にサブメニューを呼び出した際の表示例を示す図。
【図９】図４に示したサブメニューの表示処理を説明するためのフローチャート。
【図１０】図４および図９に示した処理によってなされる、表示部の表示の遷移を説明するための図。
【図１１】図４および図９に示した処理によってなされる、表示部の表示の遷移を説明するための図。
【図１２】図４および図９に示した処理によってなされる、表示部の表示の遷移を説明するための図。
【図１３】図４および図９に示した処理によってなされる、表示部の表示の遷移を説明するための図。
【図１４】図４および図９に示した処理によってなされる、表示部の表示の遷移を説明するための図。
【図１５】図４に示したサブメニューの命令処理の一例を説明するためのフローチャート。
【図１６】図１５に示した処理によってなされる、表示部の表示の遷移を説明するための図。
【図１７】図１５に示した処理によってなされる、表示部の表示の遷移を説明するための図。
【図１８】図１５に示した処理によってなされる、表示部の表示の遷移を説明するための図。
【図１９】図１に示した移動無線端末装置の変形例によってなされる、表示部の表示の遷移を説明するための図。
【図２０】図１に示した移動無線端末装置の変形例によってなされる、表示部の表示の遷移を説明するための図。
【図２１】図１に示した移動無線端末装置の変形例によってなされる、表示部の表示の遷移を説明するための図。
【符号の説明】
１０１…アンテナ
１０２…アンテナ共用器
１０２ａ…受信用フィルタ
１０２ｂ…送信用フィルタ
１０３…受信部（ＲＸ）
１０４…周波数シンセサイザ（ＳＹＮ）
１０５…送信部（ＴＸ）
１０６…ＣＤＭＡ信号処理部
１０７…音声符号処理部
１０８…ＰＣＭ符号処理部
１０９，１１２，１１３…増幅器
１１０，１１４…スピーカ
１１１…マイクロホン（Ｍ）
１２０…着信報知部
１２１…発音体
１２２…発光体
１２３…振動体
１３０…ユーザインターフェイス部
１３１…表示部
１３２…キー入力部
１４０…記憶部
１４０ａ…メニューデータ記憶エリア
１４０ｂ…データファイル記憶エリア
１４０ｃ…クリップボード記憶エリア
１５０…画像処理部
１６０…ドライバ
１７０…カメラ
２００…制御部